(57)【特許請求の範囲】
【請求項１】
外管と、
この外管内に略同軸上に進退自在に嵌挿された内管と、
内周面に内方に向けて突出する突出部を有し前記外管に螺合する略筒状の締付部材と、
外周面に前記突出部に当接する当接部を有し前記内管を進退可能に嵌合するとともに前記締付部材内に嵌挿され、復元性を有し前記突出部が前記当接部に当接することにより弾性変形可能な軸方向に沿ってスリットを設けた略筒状の調整リングとを備え、
前記調整リングは、
前記スリットの対向する一縁に周方向に舌片状に突出して設けられた係止突部と、
前記スリットの対向する他縁に前記係止突部が挿入する周方向に凹状に設けられた係止凹部と、
前記係止突部および前記係止凹部の軸方向に沿って対向する縁の少なくともいずれか一方に他方の縁に当接するように突出して前記スリットの間隙を閉塞する爪部とを備えた
ことを特徴とする延長管。
【請求項２】
請求項１記載の延長管と、
この延長管が接続される掃除機本体と
を具備したことを特徴とする電気掃除機。
【発明の詳細な説明】
【０００１】
【発明の属する技術分野】
本発明は、外管内に内管が進退可能に嵌挿された伸縮可能な延長管および電気掃除機に関する。
【０００２】
【従来の技術】
従来、電動送風機を収容した掃除機本体にホースを介して着脱自在に接続されかつ吸込口体を着脱自在に接続する延長管として、例えば図６に示すような管状の外管61内に管状の内管62が進退可能に嵌挿された伸縮可能な構成が知られている。
【０００３】
そして、この図６に示す伸縮可能な延長管63は、内管62が進退する側の外周面に雄ねじ部64が設けられた外管61の端部に、内周面の一端側に外管61の雄ねじ部64に螺合する雌ねじ部65が設けられ内周面の他端に雌ねじ部65側が径大となるように傾斜した傾斜面66を設けた略円筒状の締付部材67が取り付けられている。また、締付部材67の内周側には、内管62に嵌合し外周面に締付部材67の傾斜面66が当接する傾斜面66に対応して傾斜するテーパ面68を設けた軸方向に沿ってスリットを有する縮径可能な略円筒状の調整リング69が配設されている。そして、締付部材67を外管61側に締め付けるように螺合させることにより、締付部材67の傾斜面66が調整リング69のテーパ面68に当接して調整リング69を縮径させて締め付け、調整リング69の内周面と内管62の外周面との摩擦力により内管62の外管61に対する進出状態が保持される。
【０００４】
【発明が解決しようとする課題】
しかしながら、上記図６に示す従来の延長管63において、内管に圧接するために調整リングを弾性縮径変形させるためのスリットを設けているため、このスリットを介して内管と外管との間から外気がリークしてしまい、掃除効率の向上が図れないとともに、リーク音を生じるおそれがある問題がある。
【０００５】
本発明は、上記問題点に鑑みなされたもので、簡単な構造でリークを容易に防止できる延長管および電気掃除機を提供することを目的とする。
【０００６】
【課題を解決するための手段】
請求項１記載の延長管は、外管と、この外管内に略同軸上に進退自在に嵌挿された内管と、内周面に内方に向けて突出する突出部を有し前記外管に螺合する略筒状の締付部材と、外周面に前記突出部に当接する当接部を有し前記内管を進退可能に嵌合するとともに前記締付部材内に嵌挿され、復元性を有し前記突出部が前記当接部に当接することにより弾性変形可能な軸方向に沿ってスリットを設けた略筒状の調整リングとを備え、前記調整リングは、前記スリットの対向する一縁に周方向に舌片状に突出して設けられた係止突部と、前記スリットの対向する他縁に前記係止突部が挿入する周方向に凹状に設けられた係止凹部と、前記係止突部および前記係止凹部の軸方向に沿って対向する縁の少なくともいずれか一方に他方の縁に当接するように突出して前記スリットの間隙を閉塞する爪部とを備えたものである。
【０００７】
そして、締付部材の締め付けにより、突出部が調整リングの当接部に当接してスリット間が狭められて調整リングが弾性縮径変形して内管に密着し、内管の外管に対する進退が規制されて内管の進出状態が保持される。また、スリットは、スリットの対向する一縁に周方向に舌片状に突出して設けられた係止突部が挿入可能にスリットの対向する他縁に凹状の係止凹部を設けて略コ字状となり、リークする際の空気の流れ方向が複数回に渡って変更されるので流通抵抗が増大してリークしにくくなる。さらに、係止突部および係止凹部の軸方向に沿って対向する縁の少なくともいずれか一方に調整リングの縮径方向と交差する方向となる他方の縁に当接するように突出してスリットの間隙を閉塞する爪部を設けたため、調整リングの弾性縮径変形を阻害することなくスリット間が閉塞可能で、爪部を突設する簡単な構成でリークが容易に防止可能となる。
【０００８】
請求項２記載の電気掃除機は、請求項１記載の延長管と、この延長管が接続される掃除機本体とを具備したものである。
【０００９】
そして、簡単な構成で容易にリークが防止される請求項１記載の延長管を備えているため、リークによる掃除効率の低下が防止される。
【００１０】
【発明の実施の形態】
以下、本発明の延長管を備えた電気掃除機の実施の一形態を図面を参照して説明する。
【００１１】
図２において、１は電気掃除機本体で、この電気掃除機本体１は、上面を開口した下部ケース2a、および、この下部ケース2aの後部上面を閉塞する上部ケース2bが、前面を含む周縁にバンパ３を挟持して接合されて前側上面部を開口したケース体としての本体ケース２を有し、この本体ケース２に前側上面部の開口を開閉自在に閉塞する蓋体４を回動自在に軸支して形成されている。
【００１２】
そして、本体ケース２は、進行方向の前側下面に図示しない旋回自在の旋回輪が取り付けられ、本体ケース２の後側側面に大径の従動輪６，６が回転自在に設けられ、電気掃除機本体１は旋回輪と従動輪６，６とにて床面上を走行可能となっている。また、本体ケース２の上部には、上下方向に回動自在のハンドル７が設けられている。
【００１３】
さらに、電気掃除機本体１内には、図示しない電動送風機が後側に配設されているとともに、この電動送風機の吸込側に連通しかつ集塵フィルタを内蔵した上方が開放し蓋体４にて開閉される集塵室が前側に形成されている。そして、電気掃除機本体１の前側には、集塵室に臨んで接続口８が開口形成されている。また、電気掃除機本体１の接続口８の近傍には、電源が供給される一対の電気接点である端子を有したコネクタ部９が設けられている。
【００１４】
一方、10はホースで、このホース10は、可撓なホース本体11と、このホース本体11の一端部に設けられ、電気掃除機本体１の接続口８に着脱自在に差し込み接続される接続管12と、ホース本体11の他端部に設けられた握り管13とにて構成されている。そして、接続管12には、電気掃除機本体１のコネクタ部９に着脱自在に接続される図示しない一対の電気接点であるピン端子を有したコネクタ部が設けられている。このコネクタ部は、ホース10に内蔵された図示しない電線に電気的に接続されている。さらに、この電線は、握り管13に設けられた例えばスライドスイッチ14を備えた操作手段15を介して、この握り管13の先端部に設けられた図示しない一対の電気接点である端子に電気的に接続されている。
【００１５】
また、18は吸込口体で、この吸込口体18内には、下面に開口した図示しない吸込口に臨んで回転清掃体が回転自在に支持されているとともに、この回転ブラシを回転駆動するエアタービンが設けられている。そして、この吸込口体18の後部には、吸込口に連通する連結管19が枢着されている。
【００１６】
一方、20は伸縮型の延長管で、この延長管20は、図１ないし図４に示すように、絶縁体、例えば合成樹脂により略円筒形状に成形された略管状の外管21と、同様に合成樹脂により略円筒形状に成形された略管状の内管22と、外管21の前端部である内管22が進退する側の端部に設けられ内管22の外管21に対する移動を規制する調整手段23とにて構成されている。そして、内管22が外管21内に一端側である前側から進退可能、すなわち軸方向へ摺動自在に嵌合されて、外管21および内管22が同軸上に伸縮自在に接続されている。
【００１７】
そして、外管21の後端部には、握り管13の先端部に着脱自在に嵌挿されて接続される若干径小で先端に向けて次第に径小となる接続嵌挿部25が同軸上に一体に設けられている。また、外管21の前端部の外周面には雄ねじ部26が設けられ、外管21の先端縁は、内方に向けてフランジ状に屈曲し先端縁が外管21の先端方向に拡径するように傾斜した押え面27となっている。
【００１８】
また、内管22の先端部には、吸込口体18の連結管19が着脱自在に嵌挿して接続する若干径大で先端に向けて次第に拡径となる接続嵌合部30が同軸上に一体に設けられている。さらに、内管22の後端部である外管21に嵌挿される側は、外径が外管21の内径より若干径小あるいは略同寸法に径大の抜止部31が形成され、この抜止部31の先端側に抜止段部32が形成されている。また、内管22の抜止段部32と接続嵌合部30と間の外周面には、周方向に沿って帯状で外径が外管21の内径より若干径小あるいは略同寸法に形成されて内管22の外径より径大の径大部33が内管22の軸方向に沿って複数設けられ、この径大部33の抜止部31側の縁が段差部34となり接続嵌合部側はテーパ状のテーパ部35となっている。
【００１９】
一方、調整手段23は、外管21の前端部に螺合される略円筒状の締付部材40とこの締付部材40に嵌挿保持される調整リング41とにて構成されている。そして、締付部材40には、一端側内周面に外管21の雄ねじ部26に螺合する雌ねじ部42が設けられ、他端側内周面には、内方に向けて突出する突出部43が設けられ、この突出部43には雌ねじ部42側に向けて径大となるように傾斜面44が設けられている。さらに、締付部材40の外周面には、軸方向に沿って細長リブ状に複数突出する滑止部45が設けられている。
【００２０】
また、調整リング41は、復元性を有し弾性変形可能な部材にて内径が内管22の径大部33の位置での径寸法と略同寸法で、かつ、抜止部31の外径寸法より径小に形成され、図５に示すように、軸方向の両端縁に連続するスリット47が設けられ、弾性に抗して縮径可能となっている。そして、調整リング41の一端縁は次第に径小となるテーパ状で外管21の押え面27が当接する規制部48が設けられている。また、調整リング41の他端側の外周面には、他端側に次第に径小となり締付部材40の傾斜面44に対応したテーパ状で傾斜面44が当接する当接部としての当接面49が設けられている。
【００２１】
なお、径大部33は、少なくとも延長管20の使用頻度が多い状態である最長の状態とした際に調整リング41が位置するように設けられている。すなわち、内管22の抜止部31の抜止段部32が外管21に螺合する締付部材40内に嵌合保持される調整リング41の規制部48側の端面に当接し、内管22が進出を規制された状態とした際に、調整リング41の内管22が進出する側の内周面が径大部33の段差部34に乗り上げる状態に位置するように設けられている。
【００２２】
さらに、調整リング41のスリット47は、外形寸法が一番大きくなる肉厚の部分に位置し、スリット47の対向する一縁側に周方向に舌片状に突出する係止突部51が設けられるとともに、スリット47の他縁側に係止突部51が挿入される周方向に凹状の係止凹部52が設けられ、スリット47は略コ字状に形成されている。また、スリット47間には、一方の縁から対向する他方の縁に向けて突出し先端が他方の縁に当接してスリット47の間隙を閉塞する爪部である規制爪部53が、スリット47の周方向に沿った縁の部分に位置し外形寸法が一番大きくなる肉厚に形成した肉厚部55と同様に肉厚に突設されている。
【００２３】
なお、規制爪部53により、規制爪部53が設けられているスリット47の周方向に沿った部分と反対側の周方向に沿った部分である係止突部51および係止凹部52の側辺はせった状態に密着されている。
【００２４】
次に、上記実施の形態の動作を説明する。
【００２５】
掃除時には、電気掃除機本体１とホース10と延長管20と吸込口体18とを互いに接続する。この状態で、電気掃除機本体１の図示しないコネクタ部の電気接点にホース10の接続管12のコネクタ部の電気接点であるピン端子が接触する。
【００２６】
そして、使用者は、身長や掃除箇所などに対応して延長管20を所定の長さに設定する。すなわち、例えば吸込口体18にて床面を掃除するために最長の長さに設定する場合、調整手段23の締付部材40を回転して緩める。この締付部材40の緩めにより、締付部材40が外管21から突出する方向に移動して締付部材40の傾斜面44が調整手段23の調整リング41の当接面から離間し、調整リング41が弾性力により復元して若干拡径し、図４に示すように、調整リング41の内管22への締め付けを解除する。この後、所定の長さに内管22を外管21に対して進退させて延長管20の長さ寸法を調整する、すなわち最長となるように内管22を引き出す。そして、再び締付部材40を回転して締め付ける。この締め付けにより、締付部材40が外管21側に移動する状態となって傾斜面44が調整リング41の当接面49に当接する。さらに、締付部材40を締め付けると、図１に示すように、調整リング41が内周面が内管22の外周面に圧接されるように縮径状態に弾性変形するとともに、径大部33に乗り上がる部分は径大部33の段差部34が調整リング41の内周面に食い込むように弾性に抗して軸方向に反った状態となる。なお、調整リング41は、規制部48側の端面が抜止部31の抜止段部32に当接し、かつ、調整リング41が抜止部31を乗り上げないように外管21の押え面27が規制部48に当接して内管22側に押さえ付けるために、調整リング41は締付部材40の外管21側への移動に伴って移動することはない。このため、調整リング41が締め付けられ内周面が内管22に圧接して内管22の外管21に対する進退移動が規制されて長さが保持される。
【００２７】
この後、使用者は握り管13を持って、吸込口体18を被掃除物である床面上に載置し、電気掃除機本体１内の電動送風機を駆動させて吸込口体18を床面上で走行させる。この電動送風機の駆動により、吸込口体18の吸込口から吸い込まれた塵埃は、延長管20およびホース10を介して、電気掃除機本体１の集塵室に捕捉される。
【００２８】
なお、調整リング41は、スリット47の対向する縁に係止突部51およびこの係止突部が挿入する係止凹部52を設けて略コ字状のスリット47を備えているため、スリット47を介して外管21および内管22の間からリークしようとする空気は、流れ方向が複数回に渡って変更されるので流通抵抗が増大してリークしにくくなる。また、スリット47の周方向に沿った対向する一方の縁に調整リング41の縮径方向と交差する方向となる他方の縁に向けて突出する規制爪部53を設けたため、調整リング41の弾性縮径変形を阻害することなくスリット47間が閉塞され、リークが防止される。
【００２９】
また、掃除時の姿勢や掃除場所、すなわち例えば床面用の吸込口体18を用いず、延長管20の先端に家具ブラシや鶴口などの吸込口体を接続して家具の上部やカーテンレールなどの高い場所を掃除する場合などには、適宜長さを上述した締付部材40の緩めによる内管22の進退および締め付けによる内管22の移動規制にて調整する。さらに、掃除終了後に延長管20を収納する場合にも同様に、調整手段23の操作により内管22への調整リング41の緩めや締め付け動作により内管22を外管21に対して後退させて最短として収納する。なお、この延長管20の最短状態は、調整リング41の先端側に内管22の接続嵌合部30の端部が当接した状態となる。
【００３０】
上記実施の形態によれば、調整リング41のスリット47を、スリット47の対向する縁に係止突部51およびこの係止突部51が挿入する係止凹部52を設けて略コ字状としたため、スリット47を介して外管21および内管22の間からリークしようとする空気は、流れ方向が複数回に渡って変更されるので流通抵抗が増大してリークしにくくなる。また、スリット47の周方向に沿った対向する一方の縁に調整リング41の縮径方向と交差する方向となる他方の縁に向けて突出する規制爪部53を設けたため、調整リング41の弾性縮径変形を阻害することなくスリット47間が閉塞され、リークが防止される。このため、リークによる掃除効率の低下を防止でき、効率よく掃除できるとともに、リークによる騒音の発生のおそれもない。
【００３１】
また、規制爪部53を調整リング41の外形寸法が一番大きくなる肉厚の部分と同様に肉厚に形成したため、スリット47を閉塞する規制爪部53の部分が締付部材40の内周面側に略当接する状態に対向することとなり、調整リング41および締付部材40間を介したリークも防止でき、掃除効率を向上できる。
【００３２】
さらに、スリット47を略コ字状として周方向に沿った縁に規制爪部53を先端が対向する縁に当接するように設け、スリット47の規制爪部53が設けられた側と反対側の周方向に沿った対向する縁を当接させたため、スリット47の縁が調整リング41の軸方向に沿って相反する方向にこじれるように変形してしまうことを防止でき、確実に調整リング41を内管22に圧接でき、内管22の外管21に対する進退移動規制の保持が確実となる。
【００３３】
また、外管21に螺合する締付部材40に嵌合保持されるとともに外管21に進退可能な内管22を嵌挿する調整リング41が締付部材40の締め付けにより乗り上げて引っ掛かった状態となる径大部33を内管22に設けたため、例えばホース10の端部を押し引き操作して接続した吸込口体18を床面上で走行させて掃除する際に、床面に押し付ける操作力により力が加わっても内管22が外管21内に後退するように縮んでしまうことが防止され、大きな力で締め付けなくても長さ状態が確実に保持され、伸縮作業が容易で掃除作業性を向上できる。
【００３４】
さらに、径大部33を複数設けたため、掃除状況に応じて延長管20の長さ寸法を可変しても径大部33が設けられた箇所で長さ状態を確実に保持でき、使用性を向上できる。
【００３５】
そして、径大部33の内管22の先端側にテーパ状のテーパ部35が形成されているため、例えば延長管20を縮める際に、調整リング41がテーパ部35を円滑に滑動して径大部33を乗り越えるので、延長管20が円滑に伸縮できる。
【００３６】
また、内管22の外管21側に位置して設けた径大部33を、内管22が外管21に対して最大に進出した状態において、調整リング41が重なり合う位置でかつ当接面49が段差部34より外管21側に位置する状態となる位置に設けたため、例えば掃除の際の使用頻度が最も多く縮む方向に力が加わりやすい状態である最長状態において、確実に縮みを防止でき、掃除作業性を向上できる。
【００３７】
なお、上記実施の形態において、キャニスタ型の電気掃除機について説明したが、アップライト型などいずれの電気掃除機でも同様の効果が得られる。
【００３８】
そして、規制爪部53を周方向に沿った縁に１箇所設けて説明したが、複数箇所、例えば反対側にも設けるなど、複数設けてもよい。なお、反対側のせった状態の周方向に沿った縁に設けることにより、スリット47を閉塞するためのスリット47の対向する縁の接触面積が低下でき、円滑に調整リング41を弾性縮径変形できる。
【００３９】
また、径大部33を複数設けて説明したが、１つだけ設けてもよい。なお、１つだけ設ける場合には、上述したように、例えば径大部33の段差部34が、内管22が外管21に対して最大に進出した状態において、調整リング41が重なり合う位置でかつ当接面49が段差部34より外管21側に位置する状態となるように設けることが好ましい。
【００４０】
さらに、締付部材40の突出部43の傾斜面44と調整リング41の当接面49とがせるように当接して調整リング41が締め付けられる１対の傾斜する面を備えた構成について説明したが、締付部材40および調整リング41の少なくともいずれか一方が締付部材40の締め付けにより調整リング41を締め付ける傾斜する面を有していればよい。
【００４１】
【発明の効果】
請求項１記載の延長管によれば、調整リングのスリットを、スリットの対向する縁に係止突部および係止突部が挿入する係止凹部を設けて略コ字状としたため、スリットを介して外管および内管の間からリークしようとする空気の流れ方向が複数回変更されることとなり流通抵抗が増大してリークしにくくなる。また、係止突部および係止凹部の軸方向に沿って対向する縁の少なくともいずれか一方に調整リングの縮径方向と交差する方向となる他方の縁に当接するように突出してスリットを閉塞する爪部を設けたため、調整リングの弾性縮径変形を阻害することなくスリット間が閉塞され、リークを防止できる。このため、略コ字状のスリットに爪部を突設する簡単な構造でリークによる掃除効率の低下を容易に防止できる。
【００４２】
請求項２記載の電気掃除機によれば、簡単な構成で容易にリークが防止される請求項１記載の延長管を備えているため、リークによる掃除効率の低下が簡単な構成で容易に防止できる請求項１記載の延長管を備えているため、リークによる掃除効率の低下が容易に防止でき、効率よく掃除できる。
【図面の簡単な説明】
【図１】本発明の延長管の実施の一形態の調整リングのスリット部分を示す側面図である。
【図２】同上電気掃除機を示す一部を切り欠いた分解斜視図である。
【図３】同上延長管を示す一部を切り欠いた側面図である。
【図４】同上締め付けた状態の調整手段近傍を示す一部を切り欠いた断面図である。
【図５】同上延長管の緩めた状態の調整手段近傍を示す一部を切り欠いた断面図である。
【図６】従来例の延長管の調整手段近傍を示す断面図である。
【符号の説明】
１    電気掃除機本体
20    延長管
21    外管
22    内管
40    締付部材
41    調整リング
43    突出部
47    スリット
49    当接部としての当接面
51    係止突部
52    係止凹部
53    爪部である規制爪部
【図１】
0003755627.tif 000002
【図２】
0003755627.tif 000003
【図３】
0003755627.tif 000004
【図４】
0003755627.tif 000005
【図５】
0003755627.tif 000006
【図６】
0003755627.tif 000007